(57)【特許請求の範囲】
【請求項１】
マクロセルの基地局とフェムトセルの基地局との間においてハンドオーバーを行う移動体通信端末であって、
当該移動体通信端末の動作を制御する演算装置
を備え、
前記演算装置は、ハンドオーバー先の基地局がフェムトセルの基地局であるか否かを判定し、ハンドオーバー先の基地局がフェムトセルの基地局であると判定した場合、当該ハンドオーバー先の基地局から報知情報を受信し、ハンドオーバー先の基地局がフェムトセルの基地局ではないと判定した場合、当該ハンドオーバー先の基地局から報知情報を受信しないことを特徴とする移動体通信端末。
【請求項２】
前記演算装置は、ハンドオーバー先の基地局がフェムトセルの基地局であるか否かを判定するにあたり、当該ハンドオーバー先の基地局の識別情報と、予め定められたフェムトセルの基地局を表現する識別情報とを比較することによって、ハンドオーバー先の基地局がフェムトセルの基地局であるか否かを判定することを特徴とする請求項１に記載の移動体通信端末。  
【請求項３】
前記演算装置は、前記基地局から受信した近隣基地局情報を用いて演算を行うにあたり、近隣基地局のうちフェムトセルの基地局の情報を除外して演算することを特徴とする請求項１又は２に記載の移動体通信端末。
【請求項４】
前記演算装置は、前記演算として、当該移動体通信端末の測位を演算する請求項３に記載の移動体通信端末。
【発明の詳細な説明】
【技術分野】
【０００１】
本発明は、移動体通信端末に関する。特に、本発明は、マクロセルの基地局とフェムトセルの基地局との間においてハンドオーバーを行う移動体通信端末に関する。
【背景技術】
【０００２】
近年、宅内やオフィスのフロア等においては、マクロセルの電波が届き難い屋内においても携帯電話を使用できるようにしたり、バックボーンとして宅内やオフィスのフロアに引き込まれた光ファイバー等のブロードバンド回線へ通信トラフィックを経由させたりするために、フェムトセルの基地局が設置されることがある。フェムトセルの基地局は、電波の送信出力が小さい。そのため、相互干渉する可能性が低く、各フェムトセルの基地局で識別情報を比較的自由に設定可能である。
【０００３】
ところで、特許文献１の背景技術で記載されているように、無線通信システムの基地局はハンドオーバー候補となる近隣基地局の情報を報知している。近隣基地局情報はリスト化されており、基地局の識別情報、及びその他の情報について含む。例えば、基地局の識別情報として無線周波数チャネル番号とＰＮオフセットを含むが、無線周波数チャネル番号は自明であれば省略されたり、通信システムによっては異なる情報を含んだりすることがある。通常は基地局から共通チャネルを用いて近隣基地局情報は携帯電話へと報知されるが、占有チャネルを用いて基地局から携帯電話へと近隣基地局情報を更新することも可能である。共通チャネルや占有チャネルにおいて伝送可能な情報量には制約があり、近隣基地局情報に含まれる基地局の数は有限である。この近隣基地局情報を用いて携帯電話は近隣の基地局を探索あるいは識別する。
【０００４】
基地局が報知できる近隣基地局の数は有限である。例えばＣｄｍａ２０００方式では４０個である。一般に、屋外に設置されるマクロセルの基地局はサービスエリア半径がｋｍオーダーの広さなので、そのサービスエリア内には無数のフェムトセルの基地局が設置されうる。これらフェムトセルの基地局を全て別々のハンドオーバー候補として基地局が報知することは不可能である。
【０００５】
ハンドオーバー候補として報知する有限個の基地局のうち、予め定められた個数の基地局をフェムトセルの基地局とすることで、マクロセルの基地局からフェムトセルの基地局へハンドオーバーを可能にする技術が特許文献１で開示されている。例えば予め周波数チャネル番号とＰＮオフセットの値との組を基地局で決めておき、この組の値をフェムトセルの基地局へ割り当てることとこの組の値をハンドオーバー候補として基地局が報知することで、マクロセルの基地局からフェムトセルの基地局への携帯電話のハンドオーバーが可能になる。
【０００６】
図９は、一般的な無線システム９００の利用環境の一例を示す。無線システム９００は、複数のマクロセルの基地局９１０ａ〜ｃ（以下、マクロセルの基地局９１０と総称する。）、及び複数のフェムトセルの基地局９２０ａ〜ｃ（以下、フェムトセルの基地局９２０と総称する。）を備えている。各フェムトセルの基地局９２０は、マクロセルの基地局９１０ａのサービスエリア内に配置されている。各マクロセルの基地局９１０、及び各フェムトセルの基地局９２０は、ネットワーク９３０で接続されている。そして、マクロセルの基地局９１０ａとフェムトセルの基地局９２０ａの近隣には、携帯電話９９０が在圏している。
【０００７】
図９で例示すると、近隣基地局情報のうちいくつかをマクロセルの基地局９１０ａにてフェムトセルの基地局９２０として割り当て、このフェムトセルの基地局９２０の情報を含む近隣基地局情報をマクロセルの基地局９１０ａは報知し、このフェムトセルの基地局９２０の情報をフェムトセルの基地局９２０ａ〜ｃで設定する。携帯電話９９０はフェムトセルの基地局９２０かどうかを意識することなくマクロセルの基地局９１０ａから各フェムトセルの基地局９２０ａ〜ｃへとハンドオーバー可能である。
【０００８】
以下では基地局から報知されている情報について説明する。基地局から報知される情報はハンドオーバー候補となる近隣基地局だけではない。例えばＣｄｍａ２０００の基地局は自身が設置されている位置の緯度や経度を報知するし、拡散符合の元となる値を報知するし、特許文献２で記載されるように携帯電話の測位の計算で使用する値、他を報知する。基地局から受信するこれらの報知情報を使用することで、携帯電話はエンドユーザへ適切なサービスを提供する。
【０００９】
基地局は基準信号を報知しており、この基準信号はハンドオーバーすることなく携帯電話が受信できる。携帯電話はこの基準信号が近隣基地局識別情報と一致するかどうかで近隣基地局の存在を知る。基地局の他の報知情報の多くはハンドオーバーした後ではじめて受信できるようになる。
【００１０】
以下では携帯電話で実施されている報知情報の受信省略について説明する。ハンドオーバーした先の基地局から報知情報を携帯電話が受信する処理は電力を消費する。複数の基地局から同程度の受信感度を得ることができる場所ではささいな電波の揺らぎによって携帯電話は同じ基地局から出たり入ったりのハンドオーバーを繰り返し、そのたびに電力を消費してしまう。この電力の消費を減らすため、次のような方法が実施されるのが普通である。
【００１１】
携帯電話は基地局から受信した報知情報を記憶装置に格納し、基地局を識別する情報を用いて検索できるようにしておく。ハンドオーバー処理は、次のようにおこなわれる。まず、携帯電話は近隣基地局情報を用いてハンドオーバー先を探索しハンドオーバー実施を決定する。そして、ハンドオーバー先へ通信手段を切り替える。そして、ハンドオーバー先の識別情報を確認する。そして、ハンドオーバー先の識別情報を用いて記憶装置内を検索する。そして、もしハンドオーバー先の識別情報が記憶装置内に存在しなければ報知情報の再受信は必要と判定され、携帯電話は基地局から報知情報を受信し、記憶装置に報知情報を保存し、報知情報に従ってハンドオーバー先の基地局において必要な処理がおこなわれる。もしハンドオーバー先の識別情報が記憶装置内に存在すれば報知情報の再受信は必要なしと判定され、基地局から報知情報を受信して記憶装置に保存する処理を省略することができるので、その処理に必要な電力消費を節約できる。
【００１２】
ここで使用する基地局を識別する情報としては、基準信号のような、ハンドオーバー直後の報知情報受信前に明らかである情報が望ましい。というのは報知情報を受信しないと得られない情報がもし必要ならば、報知情報の受信を省略するという目的が達成できないからである。したがって、基地局を識別する情報としてはハンドオーバー候補と同様に例えば周波数チャネル番号とＰＮオフセットの組が使用される。
【００１３】
近隣の基地局間では基地局の識別情報が同じにならないよう設定されている。図９で説明すると、マクロセルの基地局９１０ａのＰＮオフセットがＰＮＡであったとすると、隣のマクロセルの基地局９１０ｂのＰＮオフセットは異なるＰＮＢが設定される。マクロセルの基地局９１０ａから遠く離れたマクロセルの基地局９１０ｃではマクロセルの基地局９１０ａと同じＰＮＡを使用できる。マクロセルの基地局９１０ａとマクロセルの基地局９１０ｃのように遠く離れた基地局間では同じ識別情報を使用することができるが、携帯電話９９０がそうした基地局間を移動するには時間を要する。携帯電話９９０の記憶装置に格納する報知情報に有効期限を設定することと、報知情報を受信する必要があるか否かを判定する処理にて有効期限を経過したかどうかを判定に加えることで、基地局の報知情報を受信しなおすようになっており、結果として携帯電話９９０はマクロセルの基地局９１０ａとマクロセルの基地局９２０ｃを混同しないようになっている。
【先行技術文献】
【特許文献】
【００１４】
【特許文献１】特開２０１０−０５６８５７号公報
【特許文献２】特許第４０３２６８４号公報
【発明の概要】
【発明が解決しようとする課題】
【００１５】
しかしながら、既知のハンドオーバー方法と報知情報の受信を省略する方法とを組み合わせた場合には、携帯電話を持ったユーザが移動して、フェムトセルの基地局から他のフェムトセルの基地局へハンドオーバーが繰り返されると様々な問題が生じる。
【００１６】
例えば、マクロセルの基地局からフェムトセルの基地局への既知のハンドオーバー方法では、無数のフェムトセルの基地局を少数のハンドオーバー候補で表現するので、不特定多数のフェムトセルの基地局が共通の識別情報を使用することになる。
【００１７】
これを図９で説明すると、マクロセルの基地局９１０ａのサービスエリア内にフェムトセルの基地局９２０が無数に存在するのでフェムトセルの基地局９２０ａと同じ識別情報を持つフェムトセルの基地局９２０ｃがフェムトセルの基地局９２０ａの近隣に存在することがある。初めは携帯電話９９０がフェムトセルの基地局９２０ａで待ち受けているものとする。携帯電話９９０がフェムトセルの基地局９２０ａを離れるとき、フェムトセルの基地局９２０の出力は微弱であるから、マクロセルの基地局９１０へいったんハンドオーバーしてさらにフェムトセルの基地局９２０ｂへハンドオーバーするか、あるいはフェムトセルの基地局９２０ａから直接にフェムトセルの基地局９２０ｂへハンドオーバーする。携帯電話はさらにハンドオーバーを繰り返してフェムトセルの基地局９２０ｃへ到達しようとしたときに問題が発生する。
【００１８】
携帯電話がフェムトセルの基地局９２０ｃへハンドオーバーするとき携帯電話はフェムトセルの基地局９２０ｃの識別情報を用いて自身の記憶装置を検索し、同じ識別情報を持つフェムトセルの基地局９２０ａの報知情報がヒットする。フェムトセルの基地局９２０ａとフェムトセルの基地局９２０ｃは近隣に存在するのでその間を携帯電話が行き来するにはさほど時間を必要とせず、携帯電話が記憶装置に格納したフェムトセルの基地局９２０ａの報知情報が有効期間を過ぎていない。すると、携帯電話はフェムトセルの基地局９２０ｃをフェムトセルの基地局９２０ａであると誤認し、携帯電話はフェムトセルの基地局９２０ｃからの報知情報受信を省略してしまう。しかし実際には異なる基地局なので、記憶装置上のフェムトセルの基地局９２０ａから受信済みの報知情報と、受信することができなかったフェムトセルの基地局９２０ｃからの報知情報とは異なる情報である。このようにして、例えば、携帯電話は位置情報サービスにおいてフェムトセルの基地局９２０ａの緯度と経度をフェムトセルの基地局９２０ｃのものとして誤用してしまう。
【００１９】
この問題を回避するためにフェムトセルの基地局９２０から他のマクロセルの基地局９１０や他のフェムトセルの基地局９２０へのハンドオーバーを禁止することもおこなわれている。フェムトセルの基地局９２０ａから遠ざかるとやがて圏外となるが、圏外になることを契機に受信済みの報知情報を削除するとフェムトセルの基地局９２０ｃで待ち受けるときは、報知情報を受信する必要があるか否かの判定で報知情報受信必要と判定され、正しくフェムトセルの基地局９２０ｃの報知情報を受信することができる。しかしながらこの方法では圏外を経由するため着信を取り逃がす等の新たな問題がある。
【００２０】
さらには、既知の技術においてはマクロセルの基地局とフェムトセルの基地局とを区別せずに近隣基地局情報として報知するので、近隣基地局情報を測位計算で使用する際に以下のような問題があった。
【００２１】
特許文献２で記載されているように、基地局の位置が固定されていることを応用して各近隣基地局から受信した情報をネットワーク上のサーバで処理することにより携帯電話の位置を計算することがおこなわれている。この測位システムにおける携帯電話の処理について説明する。携帯電話は近隣基地局の情報を準備する。これは基地局から報知されている近隣基地局情報を使用することができる。次に近隣の基地局から受信される基準信号を用いて距離を計算し、近隣基地局情報と照らし合わせて測定結果を作成する。続いて測定結果をネットワーク上のサーバへ送信し、サーバに携帯電話の位置を計算させる。最後にサーバから携帯電話の位置を受信する。
【００２２】
この測位システムでは予め近隣基地局の位置がサーバに登録されている必要がある。ところがフェムトセルの基地局は自由な場所に不特定多数が設置されたり停止したりするため、サーバ上で管理することは困難である。また、ある基地局で在圏している携帯電話が電波を受信できる近隣基地局は限定されるので、携帯電話が電波を受信できる基地局の組合せも限定されることから、サーバが携帯電話の位置を予測することができる。ところがマクロセルの基地局のサービスエリア内にあるフェムトセルの基地局は不特定多数なので、携帯電話が電波を受信できたフェムトセルの基地局が実はどれなのかということをサーバで区別することができない。このような事情により、位置情報サービスを提供する上で障害となる。
【課題を解決するための手段】
【００２３】
上記課題を解決するために、本発明の第１の形態によると、マクロセルの基地局とフェムトセルの基地局との間においてハンドオーバーを行う移動体通信端末であって、当該移動体通信端末の動作を制御する演算装置を備え、演算装置は、ハンドオーバー先の基地局がフェムトセルの基地局であるか否かを判定し、ハンドオーバー先の基地局がフェムトセルの基地局であると判定した場合、当該ハンドオーバー先の基地局から報知情報を受信し、ハンドオーバー先の基地局がフェムトセルの基地局ではないと判定した場合、当該ハンドオーバー先の基地局から報知情報を受信しない。
【００２４】
なおまた、上記のように発明の概要は、本発明の必要な特徴の全てを列挙したものではなく、これらの特徴群のサブコンビネーションもまた、発明となり得る。
【発明の効果】
【００２５】
以上の説明から明らかなように、この発明においては、ハンドオーバー先の基地局がフェムトセルの基地局であるか否かを判定して、ハンドオーバー先の基地局がフェムトセルの基地局であると判定した場合、他のフェムトセルの基地局と報知情報を混同せず正しい報知情報を受信することができ、ハンドオーバー先の基地局がフェムトセルの基地局ではないと判定した場合、即ち、ハンドオーバー先の基地局がマクロセルの基地局である場合には、報知情報を受信しないようにしたので、当該処理にかかる消費電力を低減することができる。
【図面の簡単な説明】
【００２６】
【図１】一実施形態に係る携帯電話１００のブロック構成の一例を示す図である。
【図２】情報格納領域１２１に格納されているデータの一例をテーブル形式で示す図である。
【図３】基地局がフェムトセルの基地局であるか否かを判定するときの携帯電話１００の演算装置１３０の動作フローの一例を示す図である。
【図４】ハンドオーバーを行うときの携帯電話１００の演算装置１３０の動作フローの一例を示す図である。
【図５】近隣基地局を用いた測位処理を行うときの携帯電話１００の演算装置１３０の動作フローの一例を示す図である。
【図６】情報格納領域１２１に格納されているデータの別の例をテーブル形式で示す図である。
【図７】基地局がフェムトセルの基地局であるか否かを判定するときの携帯電話１００の演算装置１３０の動作フローの別の例を示す図である。
【図８】近隣基地局を用いた測位処理を行うときの携帯電話１００の演算装置１３０の動作フローの別の例を示す図である。
【図９】一般的な無線システム９００の利用環境の一例を示す図である。
【発明を実施するための形態】
【００２７】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００２８】
図１は、一実施形態に係る携帯電話１００のブロック構成の一例を示す。携帯電話１００は、マクロセルの基地局とフェムトセルの基地局との間においてハンドオーバーを行う。なおまた、携帯電話１００は、この発明における「移動体通信端末」の一例であってよい。
【００２９】
携帯電話１００は、無線装置１１０、記憶装置１２０、演算装置１３０、表示装置１４０、入力装置１５０、及び電源装置１６０を備える。そして、携帯電話１００のこれら各装置は、それぞれ電気的に接続されている。
【００３０】
無線装置１１０は、マクロセルの基地局やフェムトセルの基地局からの電波を受信して復調する。また、無線装置１１０は、マクロセルの基地局やフェムトセルの基地局へ電波を変調して送信する。また、無線装置１１０は、ＧＰＳ（Ｇｌｏｂａｌ  Ｐｏｓｉｔｉｏｎｉｎｇ  Ｓｙｓｔｅｍ）信号の受信機能を有するものであってもよい。記憶装置１２０には、各種プログラムや携帯電話１００を動作させるのに必要なデータが格納されている。演算装置１３０は、携帯電話１００の動作を制御する。表示装置１４０は、携帯電話１００のユーザへ必要な情報を知らしめる。入力装置１５０は、携帯電話１００のユーザからの指示を受け付ける。電源装置１６０は、携帯電話１００の全体へ電力を供給する。
【００３１】
また、記憶装置１２０に情報格納領域１２１を設け、この情報格納領域１２１にフェムトセルの基地局であることを表現する識別情報が格納されている。フェムトセルの基地局を表現する情報格納領域１２１について詳細に説明すると以下の通りである。この情報格納領域１２１はソフトウェアの実行によって書き換え不可能であっても良く、このときは予め取り決められたフェムトセルの基地局を表現する識別情報が携帯電話１００の製造者によってこの情報格納領域１２１へ格納されている。
【００３２】
図２は、情報格納領域１２１に格納されているデータの一例をテーブル形式で示す。本発明における最良の形態ではこの情報格納領域１２１はデータ領域の一部に配置され、Ｃｄｍａ２０００であれば図２の構造をしており、ソフトウェアの実行によって書き換え可能なように構成されている。ユーザが表示装置１４０の指示に従いながら入力装置１５０を操作することでフェムトセルの基地局を表現する識別情報を変更できたり、あるいは携帯電話１００が通信ネットワークからフェムトセルの基地局を識別する情報を取得してフェムトセルの基地局を表現する識別情報を変更できたりする。この情報格納領域１２１はデータ領域の一部であることが望ましいが、ソフトウェアの一部であってもよい。
【００３３】
図３は、基地局がフェムトセルの基地局であるか否かを判定するときの携帯電話１００の演算装置１３０の動作フローの一例を示す。まず、携帯電話１００の演算装置１３０は、判定したい基地局の識別情報の組をＡという変数に格納する（Ｓ１０１）。そして、演算装置１３０は、図２で例示したフェムトセルの基地局を表現する識別情報リストから一組を取り出し、Ｂという変数に格納する（Ｓ１０２）。そして、演算装置１３０は、ＡとＢとで値が一致するかどうかの判定を行う（Ｓ１０３）。もし一致するならば（Ｓ１０３：Ｙｅｓ）、演算装置１３０は、判定結果をフェムトセルの基地局であると設定する（Ｓ１０４）。もし一致しなければ（Ｓ１０３：Ｎｏ）、演算装置１３０は、図２で例示したフェムトセルの基地局を表現する識別情報リストから次の一組を取り出してこれを変数Ｂへ格納する（Ｓ１０５）。そして、演算装置１３０は、変数Ｂに格納すべき次の一組があったかどうかを判定し（Ｓ１０６）、もし次の一組が存在しなかったならば（Ｓ１０６：Ｙｅｓ）、判定結果はフェムトセルの基地局ではないと設定する（Ｓ１０７）。もし次の一組が存在していたならば（Ｓ１０６：Ｎｏ）、演算装置１３０は、ステップＳ１０３以降の処理を継続する。
【００３４】
図４は、ハンドオーバーを行うときの携帯電話１００の演算装置１３０の動作フローの一例を示す。まず、携帯電話１００の演算装置１３０は、近隣基地局情報を用いてハンドオーバー先を探索しハンドオーバー実施を決定する（Ｓ２０１）。そして、演算装置１３０は、ハンドオーバー先へ通信手段を切り替える（Ｓ２０２）。そして、演算装置１３０は、ハンドオーバー先の識別情報を確認する（Ｓ２０３）。そして、演算装置１３０は、ハンドオーバー先の識別情報を用いて記憶装置１２０を検索する（Ｓ２０４）。そして、演算装置１３０は、検索結果がフェムトセルの基地局かどうかを、図３に示す処理によって判定する（Ｓ２０５）。もしフェムトセルの基地局であると判定されれば（Ｓ２０５：Ｙｅｓ）、すなわちハンドオーバー先はフェムトセルの基地局なので、演算装置１３０は、基地局から報知情報を受信し（Ｓ２０７）、記憶装置１２０に報知情報を保存し（Ｓ２０８）、報知情報に従ってハンドオーバー先の基地局において必要な処理を行う（Ｓ２０９）。このようにして、携帯電話１００は、フェムトセルの基地局の混同を防止し確実に正しい情報を受信することができる。もしフェムトセルの基地局ではないと判定されれば（Ｓ２０５：Ｎｏ）、すなわちハンドオーバー先はマクロセルの基地局なので、演算装置１３０は、報知情報を再受信する必要があるか否かを判定する（Ｓ２０６）。もしハンドオーバー先の識別情報が記憶装置内に存在しなければ報知情報の再受信は必要と判定され（Ｓ２０６：Ｙｅｓ）、演算装置１３０は、基地局から報知情報を受信し（Ｓ２０７）、記憶装置１２０に報知情報を保存し（Ｓ２０８）、報知情報に従ってハンドオーバー先の基地局において必要な処理を行う（Ｓ２０９）。もしハンドオーバー先の識別情報が記憶装置内に存在すれば報知情報の再受信は必要なしと判定され（Ｓ２０６：Ｎｏ）、ステップＳ２０７とステップＳ２０８を省略することができるので、ステップＳ２０７とステップＳ２０８に必要な電力消費を節約できる。
【００３５】
図５は、近隣基地局を用いた測位処理を行うときの携帯電話１００の演算装置１３０の動作フローの一例を示す。まず、携帯電話１００の演算装置１３０は、近隣基地局の情報を準備する（Ｓ３０１）。これは基地局から報知されている近隣基地局情報を使用することができる。そして、演算装置１３０は、近隣の基地局から受信される基準信号を用いて距離を計算し、近隣基地局情報と照らし合わせて測定結果を作成する（Ｓ３０２）。そして、演算装置１３０は、近隣基地局の距離測定結果から１つの基地局の測定結果を取り出す（Ｓ３０３）。この１つの基地局の測定結果は基地局の識別情報とその距離情報を含んでおり、演算装置１３０は、この基地局の識別情報を用いて、図３に示す処理でフェムトセルの基地局であるかどうかを判定し、もしフェムトセルの基地局であると判定されればこの１つの基地局の測定結果を破棄する（Ｓ３０４）。そして、演算装置１３０は、測定結果を全て走査したかどうかを判定し（Ｓ３０５）、もし未走査の測定結果があれば（Ｓ３０５：Ｎｏ）、次の１つの基地局の測定結果を取り出し（Ｓ３０６）、ステップＳ３０４以降を繰り返す。もし全て走査したと判定されれば（Ｓ３０５：Ｙｅｓ）、測定結果をネットワーク上のサーバへ送信し（Ｓ３０７）、サーバに端末の位置を計算させる。そして、演算装置１３０は、サーバから携帯電話１００の位置を受信する（Ｓ３０８）。このようにして、測位結果からフェムトセルの基地局の測位結果を除外することが実現される。
【００３６】
以上説明したように、本発明においては、以下に記載するような効果を奏する。第１の効果はハンドオーバー先がフェムトセルの基地局であるかどうかを判定する手段を携帯電話１００が有しているので、マクロセルの基地局へハンドオーバーしたときは報知情報の受信を省略して消費電力を低減しつつフェムトセルの基地局へハンドオーバーしたときは他のフェムトセルの基地局と報知情報を混同せず正しい報知情報を受信できることである。
【００３７】
第２の効果は近隣基地局がフェムトセルの基地局であるかどうかを判定する手段を携帯電話１００が有しているので、測位計算で障害となるフェムトセルの基地局を除外して測位することができることである。
【００３８】
フェムトセルの基地局を表現する識別情報リストの基本的構成は図２で説明した通りであるが、次のような違いがあっても、本発明の効果が得られる。無線周波数チャネル番号が自明であれば無線周波数チャネル番号を省略してもよい。あるいはＣｄｍａ２０００以外の通信方式であっても基地局を識別できる情報の組み合わせを用いることにより本発明を実施可能である。
【００３９】
図６は、情報格納領域１２１に格納されているデータの別の例をテーブル形式で示す。図６の表現であれば図３で説明したステップＳ１０３はＰＮオフセットが下限から上限の間の値であれば一致するという判定が可能であるし、同様に図６の構造で無線周波数番号に上限と下限を設ければ無線周波数番号が上限から下限の間であれば一致するという判定も可能である。
【００４０】
図７は、基地局がフェムトセルの基地局であるか否かを判定するときの携帯電話１００の演算装置１３０の動作フローの別の例を示す。この動作フローにおいては、予め決めておくフェムトセルの基地局を表現する識別情報は値ではなく、基地局が報知する近隣基地局情報の順番とする。
【００４１】
まず、携帯電話１００の演算装置１３０は、判定したい基地局の識別情報を変数Ａに格納する（Ｓ４０１）。そして、演算装置１３０は、変数Ａの値が基地局が報知する近隣基地局情報で検索する（Ｓ４０２）。そして、演算装置１３０は、変数Ａの値が基地局が報知する近隣基地局情報に含まれるかどうかを判定し（Ｓ４０３）、もし含まれなければ（Ｓ４０３：Ｎｏ）、判定結果を判定したい基地局はフェムトセルの基地局ではないと設定する（Ｓ４０７）。もし含まれれば（Ｓ４０３：Ｙｅｓ）、演算装置１３０は、変数Ａの近隣基地局リスト上での順番を確認し（Ｓ４０４）、この順番がフェムトセルの基地局の情報の順番と一致するかどうかを判定し（Ｓ４０５）、もし一致しなければ（Ｓ４０５：Ｎｏ）、判定結果を判定したい基地局はフェムトセルの基地局ではないと設定する（Ｓ４０７）。もし一致すれば（Ｓ４０５：Ｙｅｓ）、演算装置１３０は、判定結果をフェムトセルの基地局であると設定する（Ｓ４０６）。
【００４２】
以上のように、ある基地局がフェムトセルの基地局であるかどうかを判定する処理は予め取り決められたフェムトセルの基地局を表現する方法に応じて、ソフトウェアによって実現可能である。
【００４３】
図８は、近隣基地局を用いた測位処理を行うときの携帯電話１００の演算装置１３０の動作フローの別の例を示す。まず、携帯電話１００の演算装置１３０は、近隣基地局の情報を準備する（Ｓ５０１）。これは基地局から報知されている近隣基地局情報を使用することができる。そして、演算装置１３０は、測位のための近隣基地局識別情報リストから１つ目を取り出す（Ｓ５０２）。そして、演算装置１３０は、この基地局識別情報がフェムトセルの基地局であるかどうかを、図３や図７に示す処理によって判定し、もしフェムトセルの基地局であればこの基地局識別情報を測位のための近隣基地局識別情報リストから削除する（Ｓ５０３）。そして、演算装置１３０は、測位のための近隣基地局情報リストを全て走査したかどうかを判定し（Ｓ５０４）、もし未走査の近隣基地局があれば（Ｓ５０４：Ｎｏ）、次の近隣基地局情報識別リストから次の１つを取り出し（Ｓ５０５）、ステップＳ５０３以降の処理を継続する。もし未走査の近隣基地局が残ってなければ（Ｓ５０４：Ｙｅｓ）、測位処理を継続する（Ｓ５０６〜Ｓ５０８）。このことにより、フェムトセルの基地局を除いた通常の近隣基地局だけに対して測位を行うことができる。
【００４４】
例えば、最後のいくつかをフェムトセルの基地局としたり、ｎ番目をフェムトセルの基地局としたりすることもできる。図８は予め決めておくフェムトセルの基地局を表現する識別情報は値であるときの例であるが、ｎ番目をフェムトセルの基地局とするという決め方であればステップＳ５０２〜ステップＳ５０５の処理は単純にｎ番目を削除するという処理で置き換えれば同じ効果を得られる。
【００４５】
また、携帯電話１００の測位処理を例に説明したが、近隣基地局情報からフェムトセルの基地局を除外する処理は他の演算に適用してもよい。
【００４６】
図４で説明したハンドオーバー処理と図５で説明した測位処理は互いに独立した処理であるが、両方実施したほうが好ましいが、片方だけ実施しても構わない。
【００４７】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４８】
１００  携帯電話
１１０  無線装置
１２０  記憶装置
１３０  演算装置
１４０  表示装置
１５０  入力装置
１６０  電源装置
【図１】
0005489232.tif 000002
【図２】
0005489232.tif 000003
【図３】
0005489232.tif 000004
【図４】
0005489232.tif 000005
【図５】
0005489232.tif 000006
【図６】
0005489232.tif 000007
【図７】
0005489232.tif 000008
【図８】
0005489232.tif 000009
【図９】
0005489232.tif 000010